(57)【特許請求の範囲】
【請求項１】
ネット上に、施工対象面に食い込み可能な粗大繊維で構成された粗大繊維層を両者を互いに当接した状態で積層し、両者を水溶性接着剤で接着することにより一体化してなる植生マットを、粗大繊維層を下にして施工対象面に敷設する工程と、
粗大繊維層を下にした状態で施工対象面上に固定する工程と、
固定後の降雨あるいは散水により、粗大繊維層が水を含んで重くなるとともに、粗大繊維層とネットを接着していた水溶性接着剤が溶けて、ネットと粗大繊維層との接着が解除され、それによって、粗大繊維が施工対象面に食い込んだ状態に密着する工程とを含む緑化用の植生マットの施工方法。
【請求項２】
請求項１に記載された緑化用の植生マットの施工方法に使用される緑化用の植生マット。
【請求項３】
ネットおよび粗大繊維層間に、肥料袋を粗大繊維層で前記肥料袋が覆われる状態で適当間隔おきに設けられる請求項２に記載の緑化用の植生マット。
【請求項４】
粗大繊維層に、植物種子と、肥料、保水材、土壌改良材の少なくとも一つとを混合した植生基材を保持させてある請求項２または３に記載された緑化用の植生マット。
【請求項５】
粗大繊維層を構成する粗大繊維が、木毛繊維、椰子繊維、木質建設廃材や樹木の剪定枝の粉砕物、藁や葦に代表される草本類などの腐食性繊維、線状または帯状の生分解性プラスチック繊維の少なくとも一つである請求項２〜４のいずれかに記載された緑化用の植生マット。
【請求項６】
補強用のネットを少なくとも腐食性素材よりなるネット側に設けてある請求項２〜５のいずれかに記載の緑化用の植生マット。
【発明の詳細な説明】
【０００１】
【発明の属する技術分野】
この発明は、例えば道路や山腹の法面、河川敷、川岸や湖岸などの緑化に用いられる緑化用の植生マットの施工方法およびその施工方法に使用されるれる緑化用の植生マットに関する。
【０００２】
【従来の技術】
植物種子の発芽や幼芽の生育の妨げにならないような目の粗いネットを使用した緑化用の植生マットとしては、ネットの片面にシート状の薄綿を積層し、薄綿表面に植物種子や肥料を水溶性接着剤で接着して保持させたものや、ネットの片面に、天然の椰子繊維などの粗大繊維を水溶性接着剤で接着してマット状に集積した粗大繊維層を積層し、粗大繊維層に植物種子や肥料を水溶性接着剤で接着して保持させたものが知られている。
【０００３】
これらの植生マットは、植物種子の保持面を下にして、法面などに敷設され、ネットを貫通する止め串で固定される。そして、降雨により、前者の植生マットでは、シート状の薄綿がネットから剥がれ落ち、後者の植生マットでは、粗大繊維層がネットから剥がれ落ちて、植物種子が土壌表面に落下し、薄綿または粗大繊維層で被覆されることにより、直射日光から保護され、表面のネットで薄綿または粗大繊維層を抑えた状態で、植物種子の発芽、生育が行われることになる。
【０００４】
【発明が解決しようとする課題】
しかしながら、実際には、前者の植生マットにおいては、降雨により薄綿がネットから剥がれ落ちた時、薄綿の繊維どうしが絡み合っているため、薄綿が土壌表面の凹部に密着せず、宙に浮いた状態となるため、植物種子や肥料が雨水で流されるなどして移動し、発芽むら、生育むらが生ずることがあった。
【０００５】
また、後者の植生マットにおいては、降雨によりネットから剥がれ落ちた粗大繊維層がばらけて、植物種子や肥料が移動したり、粗大繊維層の保水性が不十分なために植物種子が乾燥して、発芽むら、生育むらが生じるという問題点があった。
【０００６】
この発明は、上述の事柄に留意してなされたもので、その目的は、土壌表面への密着性が非常に良くて、表層土、植物種子、肥料などの移動を確実に防止することができ、しかも、保水機能が高くて、植物種子の乾燥を防止することができ、その結果、発芽むら、生育むらが発生しにくく、侵入植生も定着しやすい緑化用の植生マットの施工方法およびその施工方法に使用されるれる緑化用の植生マットを提供することである。
【０００７】
【課題を解決するための手段】
上記目的を達成するため、請求項１に記載の発明における緑化用の植生マットの施工方法は、ネット上に、施工対象面に食い込み可能な粗大繊維で構成された粗大繊維層を両者を互いに当接した状態で積層し、両者を水溶性接着剤で接着することにより一体化してなる植生マットを、粗大繊維層を下にして施工対象面に敷設する工程と、
粗大繊維層を下にした状態で施工対象面上に固定する工程と、
固定後の降雨あるいは散水により、粗大繊維層が水を含んで重くなるとともに、粗大繊維層とネットを接着していた水溶性接着剤が溶けて、ネットと粗大繊維層との接着が解除され、それによって、粗大繊維が施工対象面に食い込んだ状態に密着する工程とを含んでいる。
【０００８】
そして、請求項２に記載の発明は、請求項１に記載された緑化用の植生マットの施工方法に使用される緑化用の植生マットを提供する。
【０００９】
請求項１に記載の発明における緑化用の植生マットの施工方法および請求項２に記載の発明における緑化用の植生マットは、法面などの土壌表面に、植物種子を播種し、必要により肥料や土壌改良材を散布した後、粗大繊維層を下にした状態に敷設され、ネットを貫通する止め串で土壌表面に固定される。そして、降雨により、粗大繊維層が水を含んで重くなってネットから剥がれ落ち、粗大繊維層が土壌表面に食い込んだ状態に密着する。
【００１０】
その結果、表層土、植物種子、肥料などの移動が防止されるとともに、粗大繊維層の保水機能により、植物種子の乾燥が防止されることになり、植物種子の発芽むら、生育むらの発生が確実に抑制される。また、粗大繊維層の存在により、植生マットの空隙が多くなり、外部から飛来する植物種子や侵入植生も定着しやすい。そして、粗大繊維が木毛繊維などの腐食性繊維や生分解性プラスチックであるから、やがては腐食・分解により土壌と同化し、肥料として利用されることになる。
【００１１】
殊に、請求項３に記載の発明における緑化用の植生マットでは、ネットおよび粗大繊維層間に、肥料袋が粗大繊維層で覆われる状態で設けられているので、降雨により粗大繊維層がネットから剥がれ落ちた状態では、肥料袋が土壌表面に良く密着することになる。例えば、ネットに筒状部を編成し、これに肥料袋を収納した緑化用の植生マットでは、肥料袋の位置が常にネットで拘束されているため、粗大繊維層がネットから剥がれ落ちても、肥料袋はネットに支持されており、土壌表面に凹部があると、肥料袋が凹部に密着せず、浮き上がった状態になるが、請求項３に記載の発明における緑化用の植生マットでは、このような不都合が生じない。
【００１２】
なお、粗大繊維層に植物種子や肥料などの植生基材を保持させない場合は、法面などの土壌表面に予め任意の植物種子を播種した上で、これを覆うように、緑化用の植生マットを設置したり、外部から飛来した植物種子を植生マットの粗大繊維層に付着させて発芽、生育させたり、侵入植生を繁茂させて、緑化を行うことになるが、請求項４に記載の発明のように、粗大繊維層に植物種子と、肥料、保水材、土壌改良材の少なくとも一つとを混合した植生基材を保持させておけば、現地で法面などの土壌表面に播種する手間を省くことができ、植物種子の発芽、生育を良好に行うことができるとともに、飛来する植物種子や侵入植生に依存せずに緑化を行うことができる。
【００１３】
この発明は、粗大繊維層を構成するための粗大繊維の材質を問わないが、請求項５に記載の発明のように、粗大繊維として、木毛繊維、椰子繊維、木質建設廃材や樹木の剪定枝の粉砕物、藁や葦に代表される草本類などの腐食性繊維、線状または帯状の生分解性プラスチック繊維の少なくとも一つを選択することが、自然環境を維持する上で非常に有効であり、特に、腐食性繊維の一例である木毛繊維は、始末に苦慮している間伐材や倒木などを活用して大量かつ安価に入手できるので、資源活用の面でも好都合である。
【００１４】
前記肥料袋は、小さな形状のものを点在させてもよいが、肥料袋を帯状に形成すれば、緑化用の植生マットを法面に設置する際、帯状の肥料袋が等高線に沿うように植生マットを設置することにより、法面に密着した帯状の肥料袋が表層土の流亡を抑制する柵として機能するので、好都合である。
【００１５】
さらに、請求項６に記載の発明のように、植生マットに、補強用のネットを少なくともネット側に設けてあってもよい。この補強用のネットとしては、材質は特に問わないが、特に、積雪地帯や施工対象面の脆弱な箇所においては、補強用のネットとして金網を使用することが好ましい。
【００１６】
【００１７】
【発明の実施の形態】
この発明の実施の形態を、図面を参照しながら説明する。図１および図２は、この発明の第１の実施の形態を示している。図１において、１は緑化用の植生マット（以下、単に植生マットという）で、ネット２の片面に、粗大繊維３をマット状に積層して粗大繊維層４とし、両者２，４を水溶性接着剤で接着することによって一体化して構成されている。
【００１８】
前記ネット２は、例えばヘシャンクロスや椰子ネット、あるいは、目の粗いジュートや椰子繊維の不織布状シートなど腐食性素材からなり、目合いが２〜２０ｍｍ程度のものが使用できる。なお、柔軟性のある素材の場合、目合いが細かくても植物の芽が出るが、余り柔軟性のない素材の場合には目合いを大きくするのがよい。また、前記ネット２は、強度、経済性、取り扱い易さなどを考慮した場合、ポリエチレンやポリプロピレンなどのプラスチック素材を使用することがある。さらに、前記腐食性素材の機能に近い素材として、ポリ乳酸系、澱粉系、ポリプロラクトン系などの生分解性プラスチックを用いることもできる。
【００１９】
前記粗大繊維３の素材としては、木毛繊維、椰子繊維、木質建設廃材や樹木の剪定枝の粉砕物、藁や葦に代表される草本類などの腐食性繊維、線状または帯状の生分解性プラスチック繊維の単体または組合せたものを選択して使用することができる。
【００２０】
そして、前記粗大繊維層４は、粗大繊維３どうしをパウダー状や繊維状あるいは液状の水溶性接着剤で接着し、圧着ローラで加圧したり、単に粗大繊維３の集積物を加圧してネット２に積層して、任意の厚さ（例えば２〜３０ｍｍ程度）のマット状に集積したものである。具体的には、この例では、粗大繊維３として、幅１．０ｍｍ、長さ１０〜２００ｍｍ、厚さ０．１〜１．０ｍｍに切断された１００ｇ／ｍ2 程度の木毛繊維を使用しており、水溶性接着剤として、乾燥状態では接着機能が発現しないポリビニルアルコール（ＰＶＡ）の粉体（１００メッシュ）を、一時的な湿潤雰囲気を通過させることにより接着機能を発現させて使用している。なお、マット状の集積方法としては、上記の他に、単に圧着ローラを通過させることで、粗大繊維３どうしを絡ませてマット状に形成する手法もある。
【００２１】
上記構成よりなる植生マット１は、図２（Ａ）に示すように、例えば施工対象面としての法面の土壌表面５に植物種子６を播き、必要により肥料や土壌改良材を散布した後、これらを覆うように粗大繊維層４を下にして敷設され、ネット２を貫通する止め串７で固定される。
【００２２】
そして、植生マット１の施工後の降雨あるいは散水により、粗大繊維層４が水を含んで重くなるとともに、水溶性接着剤が溶けて、ネット２と粗大繊維層４との接着が解除されるので、図２（Ｂ）に示すように、粗大繊維層４が土壌表面に食い込んだ状態に密着する。
【００２３】
したがって、表層土、植物種子６、肥料などの移動が防止されるとともに、粗大繊維層４による保水機能が発揮されるので、植物種子６の乾燥が防止されることになり、これらの結果、発芽むら、生育むらの発生が確実に抑制される。また、粗大繊維層４の存在により、植生マット１の空隙が多くなり、外部から飛来する植物種子や侵入植生も定着しやすい。そして、粗大繊維３が木毛繊維などの腐食性繊維や生分解性プラスチックよりなるので、やがては腐食・分解により土壌と同化し、肥料として利用されることになる。また、ネット２が腐食性素材よりなる場合は、これも同様に肥料として利用される。
【００２４】
なお、水溶性接着剤を用いた場合は、降雨によって水溶性接着剤が溶けて、粗大繊維３どうしの結合が解かれることで、粗大繊維３がよりルーズな状態になることから、植物種子の発芽・生育面で一層好適であるが、例えばエチレン酢ビエマルジョンやアクリル酢ビエマルジョンなどを前記水溶性接着剤に混合し、これらの接着剤と粗大繊維３とを混合して植生マット１を成形してもよく、この場合、接着剤表面に水に溶けない膜が形成されることから、粗大繊維３の結合が長期間にわたって解かれなくなる。
【００２５】
図３は、植生マット１の参考例を示すもので、この例においては、ネット２の上に粗大繊維層４を載置した状態で、木綿、麻あるいは生分解性プラスチックなどの腐食性素材よりなる縫製糸８を用いて縫い目９を粗くして縫製することにより、両者２，４を一体化している。このように構成した植生マット１の作用効果は、前記図１に示した植生マット１と同様であるので、その説明を省略する。なお、縫製により植生マット１を形成する場合、金網と粗大繊維４とを積層して一体的に縫製してもよい。また、縫製糸８は、強度、経済性、取り扱い易さなどを考慮した場合、ポリエチレンやポリプロピレンなどのプラスチック素材を使用することもある。
【００２６】
図４は、この発明の第２の実施の形態を示すもので、この実施の形態においては、粗大繊維層４に植生基材１０を水溶性接着剤で接着して保持させている。前記植生基材１０としては、植物種子１１のみであってもよいが、この例では、植物種子１１と、肥料１２、保水材１３、土壌改良材１４の少なくとも一つとを混合したものを使用している。
【００２７】
前記植生マット１においては、粗大繊維層４に植生基材１０を保持させてあるので、法面などの施工対象の土壌表面に播種する手間を省くことができ、しかも飛来する植物種子や侵入植生に依存せずに緑化を行うことができる。
【００２８】
図５および図６は、この発明の第３の実施の形態を示すもので、この実施の形態においては、植生マット１に肥料袋１５を設けている。すなわち、この植生マット１においては、ネット２の片面上に、帯状に形成された肥料袋１５を適当な等間隔（例えば、２０〜１００ｃｍ）で接着し、さらに、粗大繊維３を水溶性接着剤で接着してマット状に集積した粗大繊維層４を、肥料袋１５が覆われる状態に積層するとともに、粗大繊維層４に、植生基材１０を水溶性接着剤で接着して保持させることによって、三者２，４，１５が一体となるように構成されている。
【００２９】
前記植生基材１０としては、植物種子１１のみであってもよいが、この例では、植物種子１１と、肥料１２、保水材１３、土壌改良材１４の少なくとも一つとを混合したものを使用している。
【００３０】
そして、前記肥料袋１５は、例えば幅５ｃｍの厚手の不織布と薄手の不織布を貼り合わせたもので、内部に遅効性肥料を主とした肥料１６が充填されている。なお、この実施の形態では、肥料１６が移動しにくいように、肥料袋１５の幅方向中央部を貼り合わせてある。なお、前記肥料袋１５としては、筒状に形成した不織布の袋に、主として遅効性肥料を充填してあってもよい。
【００３１】
上記構成よりなる植生マット１は、例えば法面などの土壌表面５に、粗大繊維層４を下にして敷設され、ネット２を貫通する止め串などで固定される。施工対象が法面である場合には、帯状の肥料袋１５が等高線に沿うように植生マット１を設置することが望ましい。このように設置すれば、法面に密着した帯状の肥料袋１５が表層土の流亡を抑制する柵として機能するからである。
【００３２】
植生マット１施工後の降雨あるいは散水により、粗大繊維層４が水を含んで重くなるとともに、水溶性接着剤が溶けて、ネット２と粗大繊維層４との接合が解かれるので、粗大繊維層４が土壌表面に食い込んだ状態に密着する。
【００３３】
したがって、表層土や植生基材１０の移動が防止されるとともに、粗大繊維層４による保水機能が発揮され、植物種子６の乾燥が防止されることになり、しかも、図６（Ａ）〜（Ｄ）に示すように、植生基材１０が粗大繊維３に付着し堆積した表層土と混じり合って、ほどよく覆土され、これらの結果、発芽むら、生育むらの発生が確実に抑制され、法面５などの緑化保護が良好に行われるのである。また、粗大繊維層４の存在により、植生マット１の空隙が多くなり、外部から飛来する植物種子や侵入植生も定着しやすい。そして、ネット２が腐食性素材よりなるとともに、粗大繊維３が木毛繊維などの腐食性繊維や生分解性プラスチックよりなるので、やがては腐食・分解により土壌と同化し、肥料として利用されることになる。
【００３４】
なお、上記第３の実施の形態では、粗大繊維層４に植生基材１０を保持させてあるので、施工対象面である土壌表面に播種する手間を省くことができ、かつ、飛来する植物種子や侵入植生に依存せずに緑化が行うことができるが、現地で播種する場合には、植生基材１０を保持させずに実施することもできる。
【００３５】
また、肥料袋１５を、例えば５ｃｍ角程度の小さな形状に形成して、適当間隔おきに点在させるようにしてもよい。
【００３６】
図７は、この発明の第４の実施の形態を示すもので、この実施の形態においては、図１に示した植生マット１におけるネット２側に補強用ネット１７を設けている。ここで用いる補強用ネット１７としては、椰子繊維やジュート繊維からなり、直径３〜１０ｍｍの紐状体を２〜１０ｃｍ程度粗い目合いに編んだ腐食性のものや、１３〜１４番線を５〜６ｃｍ程度の目合いに編んだ金網や、同様の目合いを持つ生分解性プラスチックネットであったり、各種のものを用いることができる。
【００３７】
なお、前記補強用ネット１７は、植生マット１の両面に設けてあってもよい。また、補強用ネット１７を他の実施の形態の植生マット１に同様に設けてもよい。
【００３８】
図８は、図７に示した植生マット１を用いたときの施工例を示すもので、この場合、施工対象面としての法面の土壌表面５に植物種子６を播き、必要により肥料や土壌改良材を散布した後、これらを覆うように粗大繊維層４を下にして、植生マット１を敷設し、補強用ネット１７を貫通する止め串１８で固定するのである。この金網を備えた植生マット１による施工は、特に、積雪地帯や施工対象面の脆弱な箇所において、大きな効果を発揮する。
【００３９】
【発明の効果】
以上説明したように、この発明によれば、土壌表面への密着性が非常に良くて、表層土、植物種子、肥料等の移動を確実に防止でき、しかも、保水機能が高くて、植物種子の乾燥を防止でき、これらの結果、発芽むら、生育むらが発生しにくく、侵入植生も定着しやすい緑化用の植生マットを得ることができ、所望の施工を行うことができる。
【図面の簡単な説明】
【図１】  第１の実施の形態における植生マットの構成を説明するための図である。
【図２】  前記植生マットの施工例を説明するための図である。
【図３】  植生マットの参考例を説明するための図である。
【図４】  第２の実施の形態における植生マットの構成を説明するための図である。
【図５】  第３の実施の形態における植生マットの構成を説明するための図である。
【図６】  前記植生マットの作用を説明するための図である。
【図７】  第４の実施の形態における植生マットの構成を説明するための図である。
【図８】  前記植生マットの施工例を説明するための図である。
【符号の説明】
１…植生マット、２…ネット、３…粗大繊維、４…粗大繊維層、５…施工対象面、９…縫い目、１０…植生基材、１１…植物種子、１２…肥料、１３…保水材、１４…土壌改良材、１５…肥料袋、１７…補強用ネット。
【図１】
0004119591.tif 000002
【図２】
0004119591.tif 000003
【図３】
0004119591.tif 000004
【図４】
0004119591.tif 000005
【図５】
0004119591.tif 000006
【図６】
0004119591.tif 000007
【図７】
0004119591.tif 000008
【図８】
0004119591.tif 000009